(57)【特許請求の範囲】
【請求項１】
外枠筐体内に設けられた円筒形状の外槽と、前記外槽内に回転自在に設けられ、洗濯物
を収納する円筒形状の洗濯乾燥槽と、この洗濯乾燥槽で衣類の乾燥をして流出する乾燥用
空気を洗濯乾燥槽に戻す乾燥用空気循環路と、この乾燥用空気循環路に介在するように設
けるヒートポンプ装置とを有し、ヒートポンプ装置で前記乾燥用空気中の水分の奪取と乾燥用空気の加熱を併せて行なう洗濯乾燥機において、
前記ヒートポンプ装置は、本体ケースに内置される圧縮機と、放熱器と、吸熱器とを有し、
前記放熱器は放熱吸熱管に熱を伝える複数の放熱フィンを有し、前記吸熱器は吸熱管に熱を伝える複数の吸熱フィンを有し、
下側に置かれる前記吸熱器と、上側に置かれる前記放熱器とは、上下に揃って並ぶように配置され、
前記ヒートポンプ装置は、前記放熱器の下方に位置する前記吸熱器の下に吸熱器から滴下する凝縮水を受ける貯水部と、前記乾燥用空気が流れ込む前記吸熱器の側部に隣接して設けた着脱自在なるリント捕集手段を有し、前記リント捕集手段が前記外枠筐体の前側に来るように配置されたことを特徴とする洗濯乾燥機。
【請求項２】
請求項１記載の洗濯乾燥機において、
前記ヒートポンプ装置は、乾燥用空気循環路に流れる乾燥用空気を前記リント捕集手段に流し込む乾燥空気用流入口と、前記乾燥空気用流入口から流入し、前記リント捕集手段、前記吸熱器、前記放熱器を経由して乾燥用空気循環路に流出する乾燥空気用流出口と、前記貯水部から凝縮水を流出させる凝縮水流水口を有することを特徴とする洗濯乾燥機。
【発明の詳細な説明】
【技術分野】
【０００１】
本発明は、ヒートポンプ装置を搭載したドラム式の洗濯乾燥機に関するものである。
【背景技術】
【０００２】
ヒートポンプ装置を搭載した洗濯乾燥機は、特開昭６４−３２８９３号公報（特許文献１）に記載されている。洗濯乾燥機のヒートポンプ装置は、冷媒を圧縮する圧縮機，圧縮された冷媒の熱を放熱する放熱器，圧縮された冷媒の圧力を減圧する調整弁，減圧されて低圧となった冷媒が周囲から熱を奪う吸熱器を有する。
【０００３】
この洗濯乾燥機は、ヒートポンプ装置を乾燥工程で運転して乾燥用空気の加熱と除湿とをしながら乾燥を行う。
【０００４】
【特許文献１】特開昭６４−３２８９３号公報
【発明の開示】
【発明が解決しようとする課題】
【０００５】
この洗濯乾燥機は、乾燥工程では乾燥用空気の除湿と加熱とをしながら乾燥を行うので乾燥が速くなる。
【０００６】
この洗濯乾燥機は、外枠筐体の下側にヒートポンプ装置が内置されるので、凝縮水の排水路やヒートポンプ装置を経由する乾燥用空気循環路を必要とする。
【０００７】
このため、外枠筐体内が手狭になって組み立ての作業性を低下する。メンテナンス性も低下する。
【０００８】
本発明は、上記の問題に鑑み、ヒートポンプ装置をコンパクトにして外枠筐体内の手狭を緩和することを目的とする。
【課題を解決するための手段】
【０００９】
本発明は、外枠筐体内に設けられた円筒形状の外槽と、前記外槽内に回転自在に設けられ、洗濯物を収納する円筒形状の洗濯乾燥槽と、この洗濯乾燥槽で衣類の乾燥をして流出する乾燥用空気を洗濯乾燥槽に戻す乾燥用空気循環路と、この乾燥用空気循環路に介在するように設けられ、前記乾燥用空気中の水分の奪取と加熱を併せて行なうヒートポンプ装置とを有する洗濯乾燥機において、前記ヒートポンプ装置は、本体ケースに内置される圧縮機と、放熱器と、吸熱器とを有し、下側に置かれる前記吸熱器と、上側に置かれる前記放熱器とが上下に揃って並ぶように配置されていることを特徴とする。
【発明の効果】
【００１０】
本発明によれば、ヒートポンプ装置がコンパクトになったので、外枠筐体内の手狭さを緩和することができた。
【発明を実施するための最良の形態】
【００１１】
本発明の実施例について、図面を引用して説明する。
【００１２】
図１に示すように、ドラム式の洗濯乾燥機は、外枠筐体１の内側に有底円筒形状の外槽２が置かれる。外槽２は、中央より後寄りが複数個のサスペンション３により下方から支持される。また外槽２はその上部から引きバネ４により吊り下げ支持される。
【００１３】
サスペンション３は、外槽２を含む全重量を支持するものであり、強固な弾性支持構成を有し、外枠筐体１の外枠ベース２０に固定されている。特に脱水運転時に生じる外槽２の強い上下振動を吸収し、脱水起動時に発生する外槽２の異常振動を防止するための減衰機構などが設けられている。
【００１４】
サスペンション３の取付け位置は外槽２のほぼ重心位置に設けられる。外槽２は、後端側が下になるように傾斜するように設けられているので、サスペンション３を後側に位置させるサスペンション３の高さが低くなる。サスペンション３のストロークが少なくなる。
【００１５】
このため、サスペンションの減衰機能を維持する上で、サスペンション３の取付け位置は外槽２のほぼ中心側に位置した方が、後方に位置するよりも望ましい。
【００１６】
また、外槽２の上部から吊り下げ支持する引きバネ４は、外槽２の倒れ防止を兼ねた支持や脱水時の上下・左右振動を低減するために設けられている。
【００１７】
外枠筐体１の上側内部には、給水電磁弁６、洗剤投入ケース８が設けられる。洗剤投入ケース８は、注水ホース７により給水電磁弁６と連通接続される。給水電磁弁６には、給水ホース５が接続される。給水ホース５の先端は水道の蛇口（図示せず）に接続される。
【００１８】
洗濯やすすぎ時には、給水電磁弁６が開放操作され、注水ホース７から洗剤投入ケース８に洗濯やすすぎに必要な水が供給される。
【００１９】
洗剤投入ケース８には、洗濯に必要な洗剤が投入される。また、すすぎ時に、洗濯物の仕上がりを良くするための柔軟仕上げ剤が洗剤投入ケース８に設けられた仕上げ剤を溜めるケース部に投入され、必要な時に外槽２に自動的に投入される。
【００２０】
すなわち、洗濯時に、注水ホース７から供給された水により、洗剤投入ケース８内で洗剤が溶かされ、フレキシブルホース１０を流れて外槽２の上部から内部に投入される。
【００２１】
洗濯乾燥槽１１は、外槽２に回動自在に内置される。前側に投入口が設けられた有底円筒形を有する洗濯乾燥槽１１は、前端を外枠筐体１の前側に向け、後端を外枠筐体１の後側に向けるように配置される。
【００２２】
洗濯乾燥槽１１が内置される外槽２も外枠筐体１の前側に向け、後端を外枠筐体１の後側に向けるように配置される。
【００２３】
外槽２と洗濯乾燥槽１１は、円筒形の軸心線が同心になるように置かれ、かつ洗濯乾燥槽１１の投入口１１ａと外槽２の投入口１１ｂが外枠筐体１の前側に設けられている投入口１１ｃに臨むように配置される。
【００２４】
外槽２と洗濯乾燥槽１１は、投入口が設けられている前端側の方を上に、後端側の方を下になるように傾斜させて配置される。この傾き角度（水平線に対する軸心線の角度）θは、１５度である。洗濯物の取り出しなどから１５度程度の傾き角度が望ましいが、（５〜３０）度程度の範囲内で傾き角度θを選択できる。
【００２５】
外枠筐体１は、投入口１１ｃを開閉される外蓋１２が備えられる。洗濯乾燥槽１１に洗濯物の出し入れする際に外蓋１２の開閉が行なわれる。
【００２６】
ベローズ２１は、外枠筐体１の投入口１１ｃの口縁部と、外槽２の投入口１１ｂの内縁部に水密的に取付けられる。このゴム（弾性体）で出来ているベローズ２１により、外枠筐体１と外槽２の間の水密は保たれる。外蓋１２は、内側がベローズ２１に密着するので、外枠筐体１の投入口１１ｃから外部への漏水は生じない。
【００２７】
洗濯乾燥槽１１は、バランサー１３を有する。バランサー１３の内周側が前述した投入口１１ａになっている。このバランサー１３により、脱水時の振動は低減される。また、洗濯乾燥槽１１は、円筒部に複数の脱水穴１４を有する。脱水時に、洗濯物に含まれている水分が脱水穴１４により遠心力で外槽２内に脱水される。
【００２８】
洗濯乾燥槽１１の円筒部には、内周に複数（３本）のリフター１６が設けられる。このリフター１６は、軸心線（回転軸心線）の方向に沿って延在する。リフター１６の高さは、通常は長手方向に亘ってほぼ同じ高さである。
【００２９】
奥側に位置する洗濯物の動きを良くするため、リフター１６は洗濯乾燥槽１１の回転軸心に対してほぼ水平（下側に位置した際での水平）とすることも可能である。複数のリフター１６は、例えば３本の場合、１２０度の等間隔で配置される。
【００３０】
ＤＣブラシレスモータ１９は、外槽２の後部外面に取り付け固定される。このＤＣブラシレスモータ１９は、洗濯乾燥槽１１を回転駆動する駆動源である。
【００３１】
洗濯乾燥槽１１は、円筒部の底側である後端にフランジ１７を有する。フランジ１７に設けた主軸１８は、ＤＣブラシレスモータ１９のロータ側に結合される。こうして、洗濯乾燥槽１１は、駆動源のＤＣブラシレスモータ１９を介して外槽２に回転自在に支持される。
【００３２】
排水路の排水ホース２３は、外槽２の後下部に連通するように設けられる。この排水路には、二つの排水弁２２が設けられる。排水電磁２２を開放操作することにより、外槽２に溜まっている洗濯水やすすぎ水は、排水ホース２３を通じて機外に排水される。
【００３３】
排水路の排水ホース２３は、外枠ベース２０を貫通して下流側の先端は家屋の排水穴に挿入される。
【００３４】
次にヒートポンプ装置の概要および乾燥用空気循環経路について図２を加えて説明する。
【００３５】
先ず、図１に示すヒートポンプ装置４０は、図２に示される圧縮機４１、吸熱器４２、放熱器４３、減圧用の調整弁４４、冷媒が流れる連通管４５等を有する。
【００３６】
このヒートポンプ装置４０は、外枠筐体１内で外槽２の前端下方に配置される。
【００３７】
外枠筐体１内は、外槽２の前端下方の空間が大きい。これは、外槽２と洗濯乾燥槽１１を投入口の設けられている前端側の方が上になるように傾斜させて配置されているので、水平に配置する場合に比べ、外槽２の前端下方の空間が大きくなる。この大きくなった外槽２の前端下方の空間を利用してヒートポンプ装置４０を置くようにした。
【００３８】
これにより、従来のような外枠筐体の奥行を大きくする必要がなくなり、コンパクトな洗濯乾燥機を提供することができる。コンパクトなサイズの洗濯乾燥機であるので、据付面積が少なくなる。
【００３９】
圧縮機用の駆動モータは、ネオジマグネット（希土類の磁石）を使用したＤＣブラシレスモータを採用したリニヤー方式を用いてもよい。
【００４０】
これにより、ヒートポンプ装置の全体サイズをコンパクト化できる。またリニヤー方式により、騒音、振動が小さく、効率の良い圧縮機を提供できた。
【００４１】
ヒートポンプ装置４０の乾燥空気用流入口５４は、外槽１の後部側に設けられた送風ファンユニット８０に吸引循環パイプ８１（乾燥用空気循環路）を介して連通される。吸引循環パイプ８１には、流入口管５４側に蛇腹ホース８２が設けられる。この蛇腹ホース８２により、ヒ外槽２側からの振動が吸収されートポンプ装置４０に伝わらない。
【００４２】
送風ファンユニット８０は、内部に送風ファン８３を有する。この送風ファン８３により、外槽２内の乾燥用空気は吸引循環パイプ８１（乾燥用空気循環路）を通じてヒートポンプ装置４０に送風される。
【００４３】
ヒートポンプ装置４０の乾燥空気用流出口５５は、外槽２の前端部側に吐出循環パイプ８４（乾燥用空気循環路）を介して連通される。吐出循環パイプ８４には、乾燥空気用流出口５５側に蛇腹ホース８５が設けられる。この蛇腹ホース８５により、外槽２側からの振動装置４０に伝が吸収され、ヒートポンプわらない構成となっている。
【００４４】
ヒートポンプ装置４０により熱交換が行われた乾燥用空気は、吐出循環パイプ８４を流れて外槽２に還流する。
【００４５】
すなわち、洗濯乾燥槽１１内を流れる乾燥用空気は、洗濯物９の水分を吸収して外槽２の後端側から吸引循環パイプ８１（乾燥用空気循環路）を流れてヒートポンプ装置４０に流入する。
【００４６】
ここで、水分を含んだ高温の乾燥用空気はヒートポンプ装置４０の吸熱器４２に接して冷やされ、水分が凝縮水となって奪取されるので乾いた空気に変わる。
【００４７】
その後、放熱器４３に接して乾いた高温になった乾燥用空気は、吐出循環パイプ８４、外槽２を経て洗濯乾燥槽１１内に流入し、洗濯物９の水分を吸収する。このような乾燥用空気の循環が繰り替えされて洗濯物９の乾燥が行われるのである。
【００４８】
吸熱器４２は、冷媒が巡るように流れる吸熱管６０と、この吸熱管６０の熱を乾燥用空気に伝える多数の吸熱フィン６１を有する。多数の吸熱フィン６１は隙間をとって積み重なるように並んでいる。
【００４９】
放熱器４３は、冷媒が巡るように流れる放熱管７０と、この放熱管７０の熱を乾燥用空気に伝える多数の放熱フィン７１を有する。多数の放熱フィン７１は隙間をとって積み重なるように並んでいる。
【００５０】
ヒートポンプ装置４０は凝縮水排水ホース２９が接続される凝縮水排水口９５を有する。凝縮水排水ホース２９は、排水路の排水ホース２３に連通する。吸熱器４２に生じた凝縮水は凝縮水排水ホース２９、排水路の排水ホース２３を流れて外部に排水される。
【００５１】
本発明の主要部であるヒートポンプ装置について、図３を引用して更に詳しく述べる。
【００５２】
ヒートポンプ装置４０は、本体ケース９０に内置される圧縮機４１と、放熱器４３と、吸熱器４２とを有する。そして、下側に置かれる吸熱器４２と、上側に置かれる放熱器４３とが上下に揃って並ぶように配置されている。
【００５３】
吸熱器４２と放熱器４３とが上下に揃って並ぶ配置されるので、前後にずれて段違いに配置されるものに比べ、ヒートポンプ装置４０はコンパクトになる。このため、外枠筐体１の手狭さが緩和され、組み立ての作業性が向上する。
【００５４】
ヒートポンプ装置４０は、吸熱器４２の下に貯水部９１を有する。この貯水部９１は中央部が窪む。この窪みに凝縮水排水口９５が設けられている。吸熱器４２は放熱器４３の下側にあるので、吸熱器４２で発生した凝縮水は直ぐ下の貯水部９１に流下する。
【００５５】
吸熱器が放熱器の上に配置するものとは違い、凝縮水が放熱器に滴下して触れることが生じない。放熱器が凝縮水で冷やされないので乾燥用空気は良く加熱され、それだけ衣類の乾燥性能が向上する。
【００５６】
また、凝縮水の放熱器への滴下を防ぐために、吸熱器と放熱器の間の仕切り板を介在する必要がなく、ヒートポンプ装置４０のコンパクト化にもなる。吸熱器を通過した乾燥用空気は、迂回することなく、放熱器側に流れるので乾燥用空気の流れも良くなる。
【００５７】
乾燥用空気に含まれるリントを捕集するリント捕集手段９２はヒートポンプ装置４０に設けられる。このリント捕集手段９２は吸熱器４２の側部に隣接するように設けられる。リント捕集手段９２は、袋状のネットにより形成される。ネットの口部は、乾燥空気用流出口５５に向けられるように置かれる。
【００５８】
ヒートポンプ装置４０は、図１に示すように、リント捕集手段９２が外枠筐体１の前側に来るように配置される。リント捕集手段９２は、取り外しができるようにヒートポンプ装置４０に着脱自在に設けられている。
【００５９】
リント捕集手段９２は、図１に示すように、前側に取手９３を有する。この取手９３をもってリント捕集手段９２の着脱が行なわれる。
【００６０】
リント捕集手段９２は、外枠筐体１の前側に来るように配置され、かつヒートポンプ装置４０に着脱自在に備えられているので、掃除等のメンテナンスが容易に行なわれる。
【００６１】
乾燥用空気循環路（吐出循環パイプ８４／吸引循環パイプ８１）に流れる乾燥用空気は、乾燥空気用流入口５４からリント捕集手段９２に流れる。リントの除去された乾燥用空気は、吸熱器４２、放熱器４３を経由して乾燥空気用流出口５５から乾燥用空気循環路（吐出循環パイプ８４／吸引循環パイプ８１）に流れ、洗濯乾燥槽１１へと流れ行く。この乾燥用空気の循環により、洗濯物９の乾燥が行なわれる。
【００６２】
吸熱器４２、放熱器４３に流れる乾燥用空気はリントが除去されているので、吸熱器４２、放熱器４３にリントが付着せず、熱交換が良好に行なわれる。
【００６３】
この循環が行なわれる乾燥用空気は、吸熱器４２で冷やされ、放熱器４３で暖められる。放熱器４３で加熱された乾燥用空気は、本体ケース９０の上側に設けた乾燥空気用流出口５５に流れるので、自然対流に合った流れになり、乾燥用空気の循環は円滑に行なわれる。
【００６４】
次に図５を引用してドラム式の洗濯乾燥機の運転工程について説明する。
【００６５】
この運転工程は、洗濯物９に付着した汚れを落したり、またすすぎで洗剤分をすすいだり、また洗濯物９に含まれた水分を洗濯乾燥槽１１の回転により脱水穴１４から遠心力で脱水したり、それらの水分を排水することを自動的に行う一般的な自動洗濯コースを示すブロック図である。
【００６６】
先ず、給水電磁弁６の操作により給水５００が行われる。図１に示す給水量３０まで給水される。
【００６７】
洗い５０１では洗濯に必要な水が外槽２内に給水されると、ＤＣブラシレスモータ１９が回転して洗濯乾燥槽１１を駆動回転する。
【００６８】
この時、洗濯乾燥槽１１の回転速度は毎分４０〜５０回転くらいで、休止を間において右回転、左回転を数分間行い、洗濯物が洗濯乾燥槽１１内のリフター１６によりかき上げられながら、叩き洗いにより洗濯される。この洗濯運転中に放熱器４３に放熱により洗濯水が加熱され、洗浄が促進される。
【００６９】
洗い５０１が終了すると、洗濯物から流出た汚れを含む洗濯水を洗濯乾燥機の機外に排出する排水５０２へ移行する。
【００７０】
排水が終了した後、洗濯物に含まれている洗剤分を脱水する脱水５０３へ移行する。脱水５０３では、洗濯乾燥槽１１を高速回転して洗濯物を遠心力により洗濯乾燥槽１１の内壁に複数個設けられた脱水穴１４より洗濯物に含まれる水が脱水される。
【００７１】
脱水５０３が終了すると、洗濯物に含まれた洗剤分をすすぐ、すすぎ５０５へと移行する。
【００７２】
すすぎ５０５の運転に入る前に、洗い５０１と同じように清水を給水する給水５０４にて必要な清水を外槽２内に給水する。
【００７３】
一般的に、すすぎに必要な清水は洗い時と同じく、約３０Ｌ程度の給水が行われる。
【００７４】
規定量の清水が給水されると、すすぎ５０５に自動的に進行し、洗い５０１と同じように洗濯乾燥槽１１が低速で反転しながら回転し、洗濯物にふくまれた洗剤分を除去する。
【００７５】
すすぎ終了後の排水５０６−脱水５０７−すすぎ（２）５０８−排水５０９は前述した動作と同じように行われ、最後に洗濯物に含まれる水分を十分に脱水する最終脱水５１０へ移行する。
【００７６】
最終脱水５１０の脱水時間は一般的に５分以上で洗濯乾燥槽１１を高速にて回転させ洗濯物の水分を除去するものであり、この時の脱水率は６０〜６５％に至る。
【００７７】
なお、ドラム式の洗濯乾燥機にヒートポンプ装置を設けて、洗いから乾燥まで自動的に進行するドラム式の洗濯乾燥機の場合などは、最終脱水５１０が終了した後、自動的に乾燥工程５１１へ移行する。
【００７８】
乾燥工程５１１では、洗濯物の水分が脱水工程で十分に除去された後、ヒートポンプ装置４０により放熱器４３で熱交換された温風の乾燥用空気を洗濯物に吹き付けながら洗濯乾燥槽１１を毎分約５０回転くらいの速度で反転もしくは一方向に回転させて洗濯物の水分を除去し乾燥させるものである。
【００７９】
乾燥工程５１１では、洗濯物の乾燥が行なわれる。洗濯乾燥槽１１内で洗濯物の水分が乾燥用空気に吸収され、送風ファン８３に吸われて吸熱器４２へ送られた乾燥用空気より水分が凝縮水として奪取される。
【００８０】
奪取された結露水（凝縮水）は、排水電磁弁２２を開放して置くと、凝縮水排水ホース２９を通して排水される。
【００８１】
除湿された乾燥用空気は、吐出循環パイプ８４（乾燥用空気循環路）を流れて外槽２内に、さらに洗濯乾燥槽１１内へ送り込まれる。
【００８２】
乾燥用空気は洗濯乾燥槽１１および外槽２を加熱して洗濯物の乾燥を促進する。乾燥終了後は、自動的に終了５１２へ移行して洗濯乾燥コースを終了する。
【００８３】
次にＤＣブラシレスインバータモータ１９の駆動を、図４の回路ブロック図を引用して説明する。
【００８４】
電源６００はＡＣ１００Ｖ５０／６０Ｈｚに接続され、先ず電源スイッチ６０１を投入する。
【００８５】
通電された電源は、電源ラインノイズや空中電波ノイズをカットするフィルター回路６０２を介在して、ＤＣブラシレスモータ１９の駆動電源である整流回路６０３で交流電源から高圧の直流電源に変換し、ＤＣブラシレスモータ駆動回路であるＤＣインバータ駆動回路６０４に供給する。
【００８６】
ＤＣインバータ駆動回路６０４はＤＣブラシレスモータＵ相６０５、Ｖ相６０７、Ｗ相６０８の各相コイルにマイコン６０９の制御指令により、電気角１２０度もしくは１８０度で電源を供給するＩＧＰＴ素子回路の通電によって運転制御される。
【００８７】
ＤＣブラシレスモータ１９の回転制御は、複数個の磁石を有したロータ（図省略）の回転により、ＤＣブラシレスモータ１９の外周部に固定して設置されているＩＣホール素子６０６からの信号をマイコン６０９に取り込み回転数を制御して洗濯乾燥槽１１の回転速度を調整している。
【００８８】
また、洗い時に洗濯物に付着した汚れや洗剤分を除去するすすぎ時に必要な清水はマイコン６０９の指令により、駆動回路部６１０に接続された給水電磁弁６に通電されて給水される。また排水時においては、排水電磁弁２２の開放操作を行い、洗濯乾燥機の機外に汚れた水を排水する。
【００８９】
また、乾燥時には、ヒートポンプ装置の圧縮機４１や、減圧調整弁４４、送風ファン８３の運転制御が行われる。ヒートポンプ装置で生成された凝縮水は、貯水部９１、凝縮水排水ホース２９、排水ホース２３、排水電磁弁を経由して洗濯乾燥機の機外に排水される。
【図面の簡単な説明】
【００９０】
【図１】本発明の実施例に係わるもので、洗濯乾燥機の縦断面図を示す。
【図２】本発明の実施例に係わるもので、乾燥運転工程での洗濯乾燥機の内部拡大図である。
【図３】本発明の実施例に係わるもので、一部を破断して示したヒートポンプ装置の斜視図である。
【図４】本発明の実施例に係わるもので、回路ブロック図である。
【図５】本発明の実施例に係わるもので、洗濯乾燥機の運転工程を示す図である。
【符号の説明】
【００９１】
１…外枠筐体、２…円筒形状の外槽、１１…円筒形状の洗濯乾燥槽、８４…吐出循環パイプ（乾燥用空気循環路）、８１…吸引循環パイプ（乾燥用空気循環路）、４０…ヒートポンプ装置、９０…本体ケース、４１…圧縮機、４３…放熱器、４２…吸熱器。
【図１】
0004758273.tif 000002
【図２】
0004758273.tif 000003
【図３】
0004758273.tif 000004
【図４】
0004758273.tif 000005
【図５】
0004758273.tif 000006